(57)【特許請求の範囲】
【請求項１】
下記一般式（１）
【化１】
0004373533.tif 000009
（式中、ｎは１以上の整数である）で示されるジメチルシリコーン、下記一般式（２）
【化２】
0004373533.tif 000010
（式中、ｎは１以上の整数である）で示される環状シリコーン、及び揮発性変性シリコーンから選択される１又は２以上の常温揮発性シリコーン油からなるシワ発生防止剤が、基材表面に露出する状態で、この基材に保持されて、
前記シワ発生防止剤の揮発ガスが周囲に発散する構成とされていることを特徴とする衣類等用シワ発生防止材。
【請求項２】
前記ジメチルシリコーンが、２５℃において１〜１０センチストークスの粘度を有するものであることを特徴とする請求項１に記載の衣類等用シワ発生防止材。
【請求項３】
前記環状シリコーンが、上記一般式（２）におけるｎが３〜１０のものであることを特徴とする請求項１又は請求項２に記載の衣類等用シワ発生防止材。
【請求項４】
請求項１乃至請求項３のいずれか１つに記載の衣類等用シワ発生防止材におけるシワ発生防止剤に、昇華性あるいは揮発性防虫剤が混合されてなることを特徴とする衣類等用シワ発生防止機能付き防虫材。
【請求項５】
前記防虫剤が、揮発性液体防虫剤であり、
前記常温揮発性シリコーン油が１重量部に対し、前記揮発性液体防虫剤が０．１重量部以上５０重量部以下の割合で混合されてなる請求項４に記載の衣類等用シワ発生防止機能付き防虫材。
【請求項６】
請求項１乃至請求項３のいずれか１つに記載の衣類等用シワ発生防止材、又は請求項４若しくは請求項５に記載の衣類等用シワ発生防止機能付き防虫材が通気孔を備える収納容器内に収納されていることを特徴とする衣類等用シワ発生防止器。
【請求項７】
シワ発生防止剤を衣類等へ付着させるためのシワ発生防止剤付着方法であって、
下記一般式（１）
【化３】
0004373533.tif 000011
（式中、ｎは１以上の整数である）で示されるジメチルシリコーン、下記一般式（２）
【化４】
0004373533.tif 000012
（式中、ｎは１以上の整数である）で示される環状シリコーン、及び揮発性変性シリコーンから選択される１又は２以上の常温揮発性シリコーン油からなるシワ発生防止剤を、基材表面に露出する状態でこの基材に保持させてシワ発生防止材を得る工程と、
前記シワ発生防止材から発散される前記シワ発生防止剤の揮発ガスを衣類等の繊維に付着させる工程とを有することを特徴とする衣類等へのシワ発生防止剤付着方法。
【発明の詳細な説明】
【０００１】
【発明の属する技術分野】
本発明は、衣類等のヨレシワや折り畳みシワなどの発生を防止する衣類等用シワ発生防止材、このシワ発生防止性能と共に防虫性能とを併有させた衣類等用シワ発生防止機能付き防虫材、そのシワ発生防止材又はシワ発生防止機能付き防虫材を備えた衣類等用シワ発生防止器、及び衣類等へのシワ発生防止剤付着方法に関する。
【０００２】
【従来の技術】
従来、衣類等の布帛におけるシワの発生を減少させたり、シワの発生を防止する作用があるシワ減少活性剤として、ポリアルキルシリコーンやポリアリールシリコーン等のシリコーン類が有用であることが知られている（特表平１０−５０８９１２号公報）。これは、布帛に形成されたシリコーン類の皮膜が、布帛の繊維に高い滑性を付与する作用に基づくものである。
【０００３】
上記した従来のシワ減少活性剤によれば、その形成皮膜の性能を長時間に亘り維持するために、ポリアルキルシリコーン等の非揮散性のシリコーン類が好ましいとされている。このため、この従来例におけるシリコーン類の皮膜を布帛に形成するための用法は、布帛に対して、シリコーン類を塗布やスプレー散布する方法が採用されてきた。
【０００４】
また、衣類等用の防虫剤として、パラジクロルベンゼン、ナフタリン等の固形剤や、エンペントリン（(RS)-(1)- エチニル- ２- ペンテニル(RS)- シス，トランス- クリサンテマート）、フェノトリン、フェニトロチオン、ダイアジノン等の液剤が知られ、また特定の天然精油についても、防虫作用が発揮されることが知られているものもある。特に、液体防虫剤については、紙材や不織布等の基材に含有されて利用されることが多い。
【０００５】
【発明が解決しようとする課題】
前記した従来のシワ発生防止剤としてのシリコーン類を塗布やスプレー散布する用法では、その塗布や散布作業が面倒であり、また対象としての衣類等の形状や大きさが一定しないことを考慮すると、その作業は甚だ困難である。また、この用法では、その塗布乃至散布量が過多となり易く、しかも、その塗布乃至散布量を均一にすることが困難である。このため、対象が、特に衣類である場合、その衣類の感触や外観等が不均一な状態で変質化をきたすことにもなる。この変質化は、例えば、衣類に当初とは異なる違和感を生じさせたり、衣類表面のテカリや変色となって現れる。また、この塗布乃至散布が、衣類等についてシワの発生し易い部分に集中して行なわれる場合には、塗布乃至散布した部分に、上記したような変質化が衣類について部分的に生じるから、却って、その感触や外観等の変質化による違和感が著しくなる。
【０００６】
また、前記した既知の固形防虫剤では、常温下で昇華性は比較的に大きいが、周囲環境による影響を受け易くその昇華性能は不安定となり易い。また、前記した既知の揮散性の液体防虫剤では、常温下での蒸気圧が低く、そのため揮発性能は不安定であり、特に、初期の防虫性能が不十分となり易い。また、天然精油については、概して、常温下での蒸気圧は高いが、その蒸気圧は外部環境、特に温度条件の影響を受け易く、このために使用期間を通じての防虫性能を安定化させるのが困難である。
【０００７】
そこで、本発明では、第一に、塗布や散布の操作を特別に必要とせずに、シワ発生防止剤の有効量を、衣類等に均一な皮膜として形成できる衣類等用シワ発生防止材を提供すること、第二に、この衣類等用シワ発生防止材に防虫性能を併有させた衣類等用シワ発生防止機能付き防虫材を提供することを目的とした。
【０００８】
【課題を解決するための手段】
先ず、上記した第一の目的を達成するために、本発明の衣類等用シワ発生防止材は、シワ発生防止剤が、基材表面に露出する状態で、この基材に保持されてなることを特徴とする。
【０００９】
基材に保持させることが可能なシワ発生防止剤としては、例えば、シリコーン類、ジオレイルジメチルアンモニウムクロライド等の４級アンモニウム塩、パーフルオロアルキルアクリレート等のフッ素系界面活性剤などあらゆるシワ発生防止成分を挙げることができる。
【００１０】
また、シリコーン類としては、あらゆるタイプのシリコーン又はシリコーンの混合物が含まれ、ポリジメチルシロキサン、アミノシリコーン、反応性シリコーン、フェニルシリコーン等の不揮発性シリコーンも用いることができるが、本発明のシワ発生防止材では、衣類等に対して間接的にそのシワ発生防止作用を及ばせることが可能であることから、ジメチルシリコーン、環状シリコーン、揮発性変性シリコーン等の揮散性シリコーンがシワ発生防止剤として用いられる。このうち、ジメチルシリコーンと環状シリコーンは、常温下でも好ましい揮発性を示すことから、本発明において、特に好ましく用いることができる。
【００１１】
ここで、ジメチルシリコーンは、次の一般式（１）で表わされる。
【００１２】
【化１】
0004373533.tif 000002
【００１３】
この一般式（１）で、ｎは１以上の整数を示すが、ｎの値に比例して、その粘度が高くなり、その揮散性が低くなる傾向がある。このうち、ジメチルシリコーンの粘度が、特に、１〜１０（ｃＳｔ、２５℃）の範囲内のものは、常温下でも高い揮散性を示す。
【００１４】
また、環状シリコーンは、次の一般式（２）で表わされる。
【００１５】
【化２】
0004373533.tif 000003
【００１６】
この一般式（２）で、ｎは１以上の整数を示すが、ｎの値は、３〜１０のものであれば、常温下でも高い揮散性を示す。
【００１７】
また、揮発性変性シリコーンとしては、例えば、メチルフェニルシリコーン、ポリエーテル変性シリコーン、アミノ変性シリコーン、エポキシ変性シリコーン、エポキシポリエーテル変性シリコーン、カルボキシル変性シリコーン、アルコール変性シリコーン、フッ素変性シリコーン等、又はこれらの混合物を挙げることができる。これらは、常温下では、一般的に揮散性が小さいが、比較的に低い温度下で揮散性を示すものであることから、本発明において、好ましく使用するこができる。
【００１８】
また、上記したシリコーン類については、高級アルコール又はアルキルフェノールのＥＯ付加物等の乳化剤を混合することにより、予め、揮散性シリコーン油の乳化液として調製されたものであってもよい。
【００１９】
また、本発明における衣類用シワ発生防止材の基材としては、紙材、不織布、布地等の布帛、合成樹脂材など、その基材表面にシワ発生防止剤を露出状態で保持できる種々のものを用いることができる。ここで、基材表面に露出状態で保持する形態には、基材表面にシワ発生防止剤の皮膜を層状に形成すること、及びシワ発生防止剤が流体である場合に、基材中に含有されたその流体がその基材表面にまで滲み出した状態のものを含むものである。
【００２０】
また、流体のシワ発生防止剤としては、前記したジオレイルジメチルアンモニウムクロライド等の４級アンモニウム塩、パーフルオロアルキルアクリレート等のフッ素系界面活性剤のほか、液体状のシリコーン類やその乳化液等であり、これを浸透状態で含浸させることができる不織布、紙材、布帛材等を基材とする場合のほか、揮発性シリコーン等を原料中に練り込んで形成されるポリ塩化ビニル樹脂等の合成樹脂材を基材とする場合も含まれる。従って、本発明の衣類用シワ発生防止材は、基材が上記した浸透性材である場合には、揮発性シリコーン油を滴下含浸させる方法、あるいは浸漬含有させることにより製造できる。また、合成樹脂材が基材である場合には、前記したように、合成樹脂材の原料中に揮発性シリコーン油を練り込んで、これを所定の形状に成形することにより製造することができる。
【００２１】
また、この場合、基材に対する流体のシワ発生防止剤の含有量については、特に制限はなく、用いる揮散性シリコーン油の種類、使用期間や適用する衣装ケース等の容積により、可能な範囲で設定できる。例えば、揮散性シリコーン油をジメチルシリコーンとし、利用する衣装ケースが５０ｌ容量、有効期間が３０日に設定される場合には、揮散性シリコーン油としてのジメチルシリコーンは、１００ｍｇ〜２００ｍｇの含有量とすることができる。
【００２２】
上記した本発明の衣類等用シワ発生防止材よれば、基材表面に露出するシワ発生防止剤が対象とする衣類等に直接的あるいは間接的に作用して、そのシワ発生防止作用を発揮させることができる。
【００２３】
即ち、先ず、シワ発生防止剤が不揮発性のものである場合には、衣類等をシワ発生防止剤の基材上の露出面に接触させることにより、そのシワ発生防止剤の適当量を衣類等の繊維に移行付着させることによって、そのシワ発生防止性能に基づく作用を発揮させることができる。即ち、付着したシワ発生防止剤の皮膜が衣類等の繊維に高い滑性を付与することにより、その衣類等のシワの発生を減少乃至防止する作用が発揮される。従って、不揮発性のシワ発生防止剤が用いられた衣類等用シワ発生防止材では、比較的に広い面積を有するシート材やカバー材の材形として構成することが望ましい。
【００２４】
この場合、衣類等用シワ発生防止材面に衣類等を意図的に接触させる操作によるほか、単に衣類等をカバーしておいて、衣類等の収納作業時に自然的にシワ発生防止剤が衣服等に浸透して移行するようにしてもよい。また、シワ発生防止剤の移行付着量は、その種類にもよるが、例えば、ジオレイルジメチルアンモニウムクロライドである場合には、１〜１００ｍｇ／ｍ2 の範囲の量であることが好ましい。１ｍｇ／ｍ2 未満の付着量であると、シワ発生防止効果が不十分となることがあり、また１００ｍｇ／ｍ2 を超える付着量であると、より以上のシワ発生防止効果が望めないのに加えて、衣類等にシミのように現れることがある。
【００２５】
次に、本発明のシワ発生防止材のように、シワ発生防止剤が揮発性の流体からなる場合は、シワ発生防止剤の揮発ガスが基材表面から、衣類等を収納する衣装ケースやタンス内等限られた空間中に揮散され、その揮発ガスが衣類等の繊維に付着して皮膜となって形成される。このシワ発生防止剤の皮膜により、前記同様に衣類等のシワの減少乃至防止する作用が発揮される。また、この場合、単に接触することによる付着のときとは異なり、衣類等の外表面の繊維だけではなく、その内方位置の繊維表面にまで及ぶと共に、その繊維表面の全体に均一な状態でシワ発生防止剤が付着する。従って、シワ発生防止剤の付着状態が不均一となったり、その付着量が部分的に過量となったりすることが少ない。
【００２６】
この場合、含有する流体のシワ発生防止剤が、対象とする衣類等に直接付着するのを防止するために、通気孔を備える収納器内に収納した形態、即ち、シワ発生防止器の形態で利用することができる。また、このような利用形態の採用により、本発明に係る衣類用シワ発生防止材の利用態様を拡げることができる。即ち、対象とする衣類等に載せた状態の利用や、洋服タンス内で吊り下げた状態で利用することもできる。従って、この場合の衣類等用シワ発生防止材の材形としては、前記したシート材、カバー材としてのほか、切片状の材形とすることもできる。
【００２７】
また、シワ発生防止剤が、前記した変性シリコーン等のように、常温下で揮散性が低いものである場合には、適当な加熱装置により、本発明の衣類用シワ発生防止材を加熱する状態で使用することができる。この場合、含有する揮発性シリコーン油が４０℃以上となるように設定されることが好ましい。前記したような変性シリコーン油については、４０℃以上の温度状態で、本発明についての前記した作用が効果的に発揮されるからである。この加熱器具としては、電気的加熱装置や、化学反応に基づく加熱装置等の既知の装置を利用することができる。この使用方法は、本発明の衣類用シワ発生防止材を加熱装置に直接的にあるいは間接的に上載する等の方法により実行することができる。
【００２８】
次に、前記した第二の目的を達成するため、本発明の衣類用シワ発生防止機能付き防虫材は、前記した衣類等用シワ発生防止材におけるシワ発生防止剤に、防虫剤が混合されてなることを特徴とする。
【００２９】
上記した本発明の衣類等用シワ発生防止機能付き防虫材において、防虫剤としては、多様な固形状や液状の多様な薬剤を用いることができるが、その基材に、シワ発生防止剤に均一状態でかつ多量を含有させ得る点から、液状剤であることが好ましい。
【００３０】
また、この液状防虫剤としては、既知のエンペントリン、フェノトリン、ダイアジノン等を挙げることができる。効果的に防虫効果を発揮させることができる点から、パラジクロルベンゼン、ナフタリン、樟脳等の昇華性剤や、常温揮発性のエンペントリン等や、一定範囲の天然植物精油等の揮発性剤であることが好ましい。特に、高い防虫性能を発揮する揮発性天然精油としては、レモングラス油、カッシャ油、タイムホワイト油、ピメント油、ヒバ油、ヒノキ油等、及びこれらの注出成分等が挙げられる。
【００３１】
また、防虫剤が前記したような固形状のものである場合には、粉砕して微粉末状にしたものをシワ発生防止剤と混合するか、あるいはその乳化液として調製して用いることができる。この混合剤あるいは調製乳化液剤は、基材に対して前記した衣類等用シワ発生防止材と同様に保持させることができる。
【００３２】
この衣類等用シワ発生防止機能付き防虫材によれば、衣類等に対するシワ発生防止性能と防虫性能を一体的に併有させることができる。また、特に、揮発性シワ発生防止剤と昇華性あるいは揮発性防虫剤との混合剤として調製される場合には、防虫剤の昇華性能あるいは揮発性能が相乗的に高められる作用が発揮される。
【００３３】
この場合、混合剤について、例えば、揮散性シリコーン油がシワ発生防止剤である場合、揮散性シリコーン油１重量部に対し、揮散性防虫剤が０．１重量部以上５０重量部以下の割合で混合されていることが好ましい。揮散性防虫剤の混合量が、０．１重量部未満であると、有効な防虫効果が発揮され難くなり、また、５０重量部を超える量であると、上記した相乗効果が効果的に発揮され難くなるからである。
【００３４】
この衣類等用シワ発生防止機能付き防虫材について、基材の種類、製造方法、使用方法、特に、シワ発生防止剤が変性シリコーン油である場合の、加熱下での使用方法についても、前記した衣類等用シワ発生防止材の場合と同様である。
また、本発明の衣類等用シワ発生防止器は、本発明の衣類等用シワ発生防止材、又は衣類等用シワ発生防止機能付き防虫材が通気孔を備える収納容器内に収納されていることを特徴とする。
また、本発明の衣類等へのシワ発生防止剤付着方法は、シワ発生防止剤を衣類等へ付着させるためのシワ発生防止剤付着方法であって、上記一般式（１）で示されるジメチルシリコーン、上記一般式（２）で示される環状シリコーン、及び揮発性変性シリコーンから選択される１又は２以上の揮発性シリコーン油を含むシワ発生防止剤を、基材表面に露出する状態でこの基材に保持させてシワ発生防止材を得る工程と、前記シワ発生防止材から発散される前記シワ発生防止剤の揮発ガスを衣類等の繊維に付着させる工程とを有することを特徴とする。
【００３５】
【発明の実施の形態】
次に、本発明の実施の形態を図に基づいて説明する。衣類等用シワ発生防止材１は、切片状の基材２に所定量の揮発性シリコーン油がシワ発生防止剤３として含有されることによって構成されている。
【００３６】
衣類等用シワ発生防止材１は、収納器４内に収納されている。収納器４は、衣類等用シワ発生防止材１の外形状に合わせた偏平状を呈している。収納器４の表裏面には、複数の桟７が離間して設けられ、隣接する桟７間は通気孔８として機能する。
【００３７】
また、図２に示すように、収納器４は、その表裏面部分を形成する上部５と下部６との嵌合構成によってなる。この嵌合構成は、上部５の周縁部に有する凸部５ａを下部６の周縁部に有する凹部６ａに嵌め合わせることにより一体化されている。また、この嵌め合わせに係る凸部５ａと凹部６ａとの間で、衣類等用シワ発生防止材１は、その周縁部が挟持される状態で、収納器４内に固定された状態で保持されている。
【００３８】
このように収納器４内に収納保持された衣類等用シワ発生防止材１は、図３に示すように、含有される揮発性シリコーン油３が基材２面から揮散するが、このシワ発生防止剤３の揮散ガス３ａが、収納器４の通気孔８を介して順次外部に発散される。従って、この揮散ガス３ａの発散は、収納器４の表裏両面から生じる。
【００３９】
この収納器４内に収納された状態の衣類等用シワ発生防止材１は、図４に示すような態様で、利用することができる。即ち、衣装ケース１０の本体１１内に折り畳んだ状態の衣類１３を収納し、この衣類１３の面上に収納器４内に、収納された状態の衣類等用シワ発生防止材１を載置した状態で配置し、さらに、衣装ケース本体１１の開放部を蓋１２により閉止することによる。
【００４０】
この閉止状態の衣装ケース１０内では、その収納空間に、前記したように発散される揮散ガス３ａが充満する状態を経て、衣類１３の繊維に付着してシワ発生防止剤３の皮膜が形成される。この際、揮散ガス３ａは、衣類１３の表面の繊維のみならず、その内部の繊維にまで浸透して及ぶ。このため、シワ発生防止剤３の皮膜は、衣類１３の全体に均一かつその適量が付着した状態で形成されることになる。従って、このシワ発生防止剤３の皮膜によるシワ防止作用は、衣類１３について、特にシワの発生が顕著な部分である折り部１３ａやヨレ部１３ｂの部分を含めて、衣類１３の全体に及ぶ。
【００４１】
【実施例】
（実施例１〜２）不織布（４ｃｍ×１０ｃｍ×０．５ｃｍ）にジメチルシリコーン油（粘度：５（ｃＳｔ、２５℃）、商品名：ＳＨ２００Ｃ、（株）東レダウコーニング社製）を２００ｍｇ滴下することにより含有させて衣類等用シワ発生防止材を得た。この衣類等用シワ発生防止材を、図１に示す態様で、プラスチック製の収納器内に収納して、これを試料とした。
【００４２】
先ず、綿布（５０ｃｍ×５０ｃｍ）を四つ折りに畳んだ状態で、ダンボール紙製衣装ケース（５０ｌ容量）の本体内の底部面上に配置した。次いで、この折り畳んだ状態の綿布に前記した試料を上載することによりセットし、衣装ケース本体を蓋により閉止した。これを常温（２０℃〜２５℃）下で、１０日間放置した。その後、綿布表面のシワの発生状態を目視観察により確認すると共に、１０日後における試料からのジメチルシリコーン油の揮散量及びその綿布への付着量を測定した。また、この試験を同様に５回繰り返した。
【００４３】
また、上記同様の不織布に環状シリコーン油（ｎ＝６、商品名：ＤＣ２４６、（株）東レダウコーニング社製）を２００ｍｇ滴下することにより含有させて衣類等用シワ発生防止材を得た。この衣類等用シワ発生防止材を図１に示す態様で、プラスチック製の収納器内に収納して、これを試料とした。
【００４４】
この試料についても、上記同様に、蓋で閉止された衣装ケース内の綿布面上にセットし、常温下で１０日間放置した。その後の綿布表面のシワの発生状態を目視観察により確認すると共に、１０日後における試料からの環状シリコーン油の揮散量及びその綿布への付着量を測定した。また、この試験を同様に５回繰り返した。  上記した各試料を使用した場合を処理区として、綿布面のシワの発生状態についての観察結果及び測定した揮散量及び付着量を、それぞれ表１に示した。
【００４５】
【表１】
0004373533.tif 000004
【００４６】
なお、表１中、無処理区は、単に綿布を前記同様に折り畳んだ状態で配置し、これに前記した収納器のみを上載せた状態で衣装ケース内に収納して、同一条件下で放置した場合の結果である。また、シワの発生状態についての基準は、綿布の折り畳み部分についてのものであり、折り畳み部分にシワが発生していないとき±、折り畳み部分にシワが発生したとき＋、とした。
【００４７】
表１に示した結果から、いずれの試料中からも、その含有するジメチルシリコーン油あるいは環状シリコーン油の揮散ガスの発散と、その揮散ガスの付着が認められると共に、無処理区による場合との対比において、この揮散ガスの付着によるシワ発生の防止効果が確認される。また、試験に供した布帛には、その感触や外観等の変質化は全く生じなかった。
【００４８】
（参考例３及び４）不織布（４ｃｍ×１０ｃｍ×０．５ｃｍ）の表面に流体状のジオレイルジメチルアンモニウムクロライド２００ｍｇを均一に塗布して含有させて衣類等用シワ発生防止材を得た。この衣類等用シワ発生防止材を試料とした。
【００４９】
先ず、綿布（５０ｃｍ×５０ｃｍ）を四つ折りに畳んだ状態で、ダンボール紙製衣装ケース（５０ｌ容量）の本体内の底部面上に配置した。次いで、この折り畳んだ状態の綿布に前記した試料を上載することによりセットし、衣装ケース本体を蓋により閉止した。これを常温（２０℃〜２５℃）下で、１０日間放置した。その後、綿布表面のシワの発生状態を目視観察により確認すると共に、１０日後における試料からのジオレイルジメチルアンモニウムクロライドの前記綿布への移行量及びその付着量を測定した。また、この試験を同様に５回繰り返した。
【００５０】
また、上記同様の不織布にパーフルオロアルキルアクリレート２００ｍｇを均一に塗布することにより含有させて衣類等用シワ発生防止材を得た。この衣類等用シワ発生防止材を試料とした。
【００５１】
この試料についても、上記同様に、蓋で閉止された衣装ケース内の綿布面上にセットし、常温下で１０日間放置した。その後の綿布表面のシワの発生状態を目視観察により確認すると共に、１０日後における試料からのパーフルオロアルキルアクリレートの前記綿布への移行量及び付着量を測定した。また、この試験を同様に５回繰り返した。
【００５２】
上記した各試料を使用した場合を処理区として、綿布面のシワの発生状態についての観察結果及び測定した移行量及び付着量をそれぞれ表２に示した。
【００５３】
【表２】
0004373533.tif 000005
【００５４】
なお、表２中、無処理区、及びシワの発生状態の評価基準は、実施例１の場合と同じである。
【００５５】
表２に示した結果から、いずれの試料中からも、その含有するジオレイルジメチルアンモニウムクロライドあるいはパーフルオロアルキルアクリレートの浸透による付着が認められると共に、無処理区による場合との対比において、この付着によるシワ発生の防止効果が確認される。また、試験に供した布帛には、その感触や外観等の変質化は全く生じなかった。
【００５６】
（実施例５）不織布（４ｃｍ×１０ｃｍ×０．５ｍｍ）にアミノ変性シリコーン油（粘度：１２００（ｃＳｔ、２５℃）、商品名：ＳＦ−８４１７  、東レダウコーニング社製）を２００ｍｇ滴下することにより含有させて衣類等用シワ発生防止材を得た。この衣類等用シワ発生防止材を試料とした。また、電気ヒーター（消費電力１８０Ｗ）を熱源とし、この熱源に面して鉄製のプレートを加熱面として備える加熱装置を用意した。
【００５７】
先ず、実施例１の場合と同様に、折り畳み状態の綿布を蓋で閉止された衣装ケース内に配置し、この折り畳み状態の綿布とは離間した位置に加熱装置を配設して、この加熱装置上に載せた状態で上記した試料をセットした。次いで、これを常温下で１０日間放置し、綿布表面のシワの発生状態を目視観察により確認すると共に、１０日後における試料からのアミノ変性シリコーン油の揮散量及びその綿布への付着量を測定した。また、この試験を同様に５回繰り返した。
【００５８】
上記した試料を使用した場合を処理区として、綿布のシワの発生状態についての観察結果及び測定した揮散量を、表３に示した。また、試験期間中における加熱装置の加熱面の平均温度は、約７２℃であった。また、試料中の基材の表面平均温度は、約４５℃であった。
【００５９】
【表３】
0004373533.tif 000006
【００６０】
なお、表３中、無処理区、及びシワの発生状態の評価基準は、実施例１の場合と同じである。
【００６１】
表３に示した結果から、この試料についても、その含有するアミノ変性シリコーン油の揮散ガスの発散と、その揮散ガスの綿布への付着が認められると共に、無処理区による場合との対比において、この揮散ガスの付着に基づくシワ発生防止効果が確認される。また、試験に供した布帛には、その感触や外観等の変質化は全く生じなかった。
【００６２】
（実施例６）環状シリコーン油（ｎ＝６、商品名：ＤＣ２４６、（株）東レダウコーニング社製）１００ｍｇに、液体防虫剤であるエンペントリン１００ｍｇを注加混合することにより、混合液を調製した。この混合液を不織布（４ｃｍ×１０ｃｍ×０．５ｍｍ）に滴下含有させて、衣類等用シワ発生防止機能付き防虫材を得て、これを実施例１と同様に収納器内に収納し、これを試料とした。
【００６３】
また、ウールモスリン（３ｃｍ×３ｃｍ）について初期重量を測定し、このウールモスリンの表面に、コイガ（２０日令、１検体１０匹）の５検体を供試虫として放ち、さらにこれを金網で包んで供試虫が逃げないようにし、これを供試材とした。
【００６４】
前記した試料を、実施例１と同様に、蓋で閉止された衣装ケース内の綿布面上にセットすると共に、上記した供試材を綿布とは離間する衣装ケース内の位置に配置した。これを、常温下で３ヶ月間放置した。その後の綿布のシワの発生状態を目視観察により確認すると共に、１ヶ月後及び３ヶ月後における試料からのジメチルシリコーン油の綿布への付着量を測定した。また、この試料による７日後、１ヶ月後及び３ヶ月後の防虫効力の効力指数を、供試材のウールモスリンに対する食害量から、次式により求めた。
【００６５】
【数１】
0004373533.tif 000007
【００６６】
なお、上記した試料に代えて、防虫剤としてのエンペントリンを含有させない不織布のみを収納器に収納したものについて、上記同様の試験を行なった場合の結果を、コントロールの食害量とした。
【００６７】
このようにして得られた結果を表４に示した。
【００６８】
【表４】
0004373533.tif 000008
【００６９】
なお、表４中、実施No. １の試料は、実施例１の試料につき、実施例１に示す条件下で、その実施期間を３ヶ月にまで延長して行なった場合の結果である。また、対照は、エンペントリン１００ｍｇのみを上記した不織布に滴下含有させた防虫材である。また、シワの発生状態の評価基準は、実施例１の場合と同じである。
【００７０】
表４に示した結果から、この実施例６の衣類等用シワ発生防止機能付き防虫材によれば、防虫効力を示す効力指数について、対照による結果との比較から、防虫効力の相乗的な向上が認られる。また、この防虫効力の向上は、使用初期に特に顕著に認められることから、この衣類等用シワ発生防止機能付き防虫材によれば、使用全期間中において、安定した防虫効果を期待することができる。また、実施例１による場合との比較から、試料中に含有するジメチルシリコーン油の揮散作用についても、相乗的に高められることが確認される。また、試験に供した布帛には、その感触や外観等の変質化は全く生じなかった。
【００７１】
【発明の効果】
上述したように本発明は構成されるから、次のような効果が発揮される。先ず、本発明の衣類等用シワ発生防止材、衣類等用シワ発生防止器、及び衣類等へのシワ発生防止剤付着方法によれば、シワ発生防止剤が、基材表面に露出する状態で、この基材に保持されていることを特徴とするから、スプレー装置等の特別な装置を利用した操作を必要とすることなく、衣類等に対してシワ発生防止作用を発揮させることができる。
【００７２】
また、揮散性のシワ発生防止剤が基材表面に露出する構成によりその揮散ガスが周囲に発散することから、衣類等と共に限られた空間内に配置するだけで、塗布や散布等の特別な作業を必要とせずに、使用することができる。
【００７３】
また、揮散性シワ発生防止剤は、揮散ガスの状態で対象とする衣類等の繊維に付着するから、その衣類等の表面側の繊維だけでなく、衣類等の内部の繊維部分にまで浸透して、そのシワ発生防止剤の皮膜が形成される。従って、その皮膜に基づくシワ防止作用は、衣類等の全体に及ばせることができる。また、この場合、シワ発生防止剤の揮散ガスは、上記したように衣類等の全体に及ぶことと相まって、衣類等の繊維に過剰に付着することはなく、またその付着量も衣類等について平均化される。従って、衣類等の性状や外観を変質化させるようなことはない。
【００７４】
また、上記した効果は、ある種の変性シリコーン油等のように、常温下では、揮散性能が小さいものであっても、得られた衣類等用シワ発生防止材を、一定温度以上に加熱することにより、上記同様の効果を発揮させることができる。
【００７５】
また、本発明に係る衣類等用シワ発生防止機能付き防虫材は、シワ発生防止剤と共に防虫剤を基材中に一体的に保持させてなる構成としたことから、単一物に対する操作だけで、シワ発生防止効果と防虫効果の効果を同時に得ることができる。  また、本発明に係る衣類等用シワ発生防止機能付き防虫材が、揮発性シワ発生防止剤と昇華性乃至揮発性防虫剤とにより構成されてなる場合には、これらが基材表面に露出する状態で基材に保持された構成と相まって、これらの揮散ガスに基づくシワ発生防止効果と防虫効果とが相乗的に向上されて発揮されることから、使用環境の変動が大きい場所で使用する場合であっても、より安定した状態でしかも有利に利用することができる。
【図面の簡単な説明】
【図１】本発明に係る衣類等用シワ発生防止材の斜視図である。
【図２】同上の衣類等用シワ発生防止材の収納状態を説明する部分破断面斜視図である。
【図３】同上の作用を説明する部分縦断面図である。
【図４】同上の使用態様を説明する破断面斜視図である。
【符号の説明】
１  衣類等用シワ発生防止材
２  基材
３  シワ発生防止剤
３ａ  揮散ガス
４  収納器
【図１】
0004373533.tif 000013
【図２】
0004373533.tif 000014
【図３】
0004373533.tif 000015
【図４】
0004373533.tif 000016